【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
開口部を有する口首部、底部及び胴部を備えた容器本体を備え、該容器本体を把持することによって片手で持つことが可能なボトル容器であって、
前記容器本体は、片手で把持する際に、第１指が接する第１側面、他の指が接する第２側面、手の平を沿わせる背面及び該背面に対向する前面を有しており、第１側面と背面との間及び第２側面と背面との間に、それぞれ、容器本体の高さ方向に延びる２本の稜線に挟まれた平坦なパネル部を有しており、
前記背面に、容器本体の高さ方向の断面形状が、前記前面に向かって凸に湾曲した形状の背面窪み部が形成されており、
第１側面及び第２側面は、第１側面と第２側面との間の距離が、前記背面側から前記前面側に向かうにつれて漸減するテーパー部を有しており、
前記容器本体の水平方向の断面において、前記テーパー部の長さが、前記パネル部と前記前面との間の長さの７０％以上であり、前記パネル部と前記前面との間の前記長さは、前記パネル部と前記第１側面又は前記第２側面との間の稜線と、前記前面との間の長さであり、
前記パネル部は、前記容器本体における、前記背面窪み部の深さが最も深い最深部の高さ位置より上方に、該パネル部の幅が上方に向かうに連れて拡大する幅拡大部を有している、ボトル容器。
【請求項２】
前記第１側面及び前記第２側面のそれぞれと前記前面との間に前方稜線を有し、
前記パネル部と前記前面との間の前記長さは、前記パネル部と前記第１側面又は前記第２側面との間の前記稜線と、前記前面と前記第１側面又は前記第２側面との間の前方稜線との間の長さである、請求項１に記載のボトル容器。
【請求項３】
前記第１側面及び前記第２側面は、水平方向の断面が、直線状であるのに対して、高さ方向の断面が、容器の外方又は内方に向かって凸の形状に湾曲している２次曲面である、請求項１又は２に記載のボトル容器。
【請求項４】
前記背面には、前記背面窪み部が一つのみ形成されており、前記前面には、前記容器本体の高さ方向の断面形状が前記背面に向かって凸に湾曲した形状の窪みが形成されていない、請求項１〜３の何れか１項に記載のボトル容器。
【請求項５】
第１側面及び第２側面は、前記容器本体における、前記背面窪み部の深さが最も深い最深部の高さ位置より上方に、第１側面と第２側面との間の距離が上方に向かうに連れて漸増する逆テーパー部を有している、請求項１〜４の何れか１項に記載のボトル容器。
【請求項６】
第１側面及び第２側面は、容器本体の高さ方向における全域が、第１側面と第２側面との間の距離が上方に向かうに連れて漸増する逆テーパー部とされている、請求項１〜４の何れか１項に記載のボトル容器。
【請求項７】
第１側面及び第２側面は、前記胴部における、前記背面窪み部の深さが最も深い最深部の高さ位置より下方に、第１側面と第２側面との間の距離が上方に向かうに連れて漸減するテーパー部を有している、請求項５に記載のボトル容器。
【請求項８】
前記容器本体の口首部に、注出口切り欠きを有する注出筒を備えた注出キャップが固定されており、該注出筒の注出口切り欠きが、前記背面側に向けられている、請求項１〜７の何れか１項に記載のボトル容器。
【請求項９】
前記容器本体の内容積が、８００ｃｍ3以上２０００ｃｍ3以下である、請求項１〜８の何れか１項に記載のボトル容器。
【請求項１０】
前記テーパー部の前記長さの上限値は、前記パネル部と前記前面との間の前記長さと同じ長さである、請求項１〜９の何れか1項に記載のボトル容器。
【手続補正２】
【補正対象書類名】明細書
【補正対象項目名】０００７
【補正方法】変更
【補正の内容】
【０００７】
本発明は、開口部を有する口首部、底部及び胴部を備えた容器本体を備え、該容器本体を把持することによって片手で持つことが可能なボトル容器であって、
前記容器本体は、片手で把持する際に、第１指が接する第１側面、他の指が接する第２側面、手の平を沿わせる背面及び該背面に対向する前面を有しており、第１側面と背面との間及び第２側面と背面との間に、それぞれ、容器本体の高さ方向に延びる２本の稜線に挟まれた平坦なパネル部を有しており、前記背面に、容器本体の高さ方向の断面形状が、前記前面に向かって凸に湾曲した形状の背面窪み部が形成されている。第１側面及び第２側面は、第１側面と第２側面との間の距離が、前記背面側から前記前面側に向かうにつれて漸減するテーパー部を有しており、前記胴部の周方向において、該テーパー部の長さが、前記パネル部と前記前面との間の長さの７０％以上であるボトル容器を提供するものである。前記胴部の周方向における、前記テーパー部の長さ、及び前記パネル部と前記前面との間の長さは、図２（ｂ）に示すように、何れも、前記容器本体の水平方向の断面における長さであり、前記パネル部と前記前面との間の前記長さは、前記パネル部と前記第１側面又は前記第２側面との間の稜線と前記前面との間の長さである。
【手続補正３】
【補正対象書類名】明細書
【補正対象項目名】００２０
【補正方法】変更
【補正の内容】
【００２０】
容器本体２を片手で把持する際には、前述した通り、背面窪み部５６に手の平を沿わせるようにして、該容器本体２を背面５３側から把持する。
本実施形態のボトル容器１においては、第１側面５１及び第２側面５２は、第１側面５１と第２側面５２との間の距離Ｈが、背面５３側から前面５４側に向かうにつれて漸減するテーパー部Ｔを有しており、胴部５の周方向において、テーパー部Ｔの長さＬ２，Ｌ２が、パネル部５５と前面５４（前方稜線６３）との間の長さＬ２’の７０％以上である。
より具体的には、第１側面５１及び第２側面５２は、図２（ｂ）に示すように、前述した平坦なパネル部５５と第１側面５１又は第２側面５２との間の稜線６１と、第１側面５１又は第２側面５２と前面５４との間の前方稜線６３との間の全域が、第１側面５１と第２側面５２との間の距離Ｈが背面５３側から遠ざかるにつれて漸減するテーパー部Ｔとなっている。
これにより、図３に示すように、背面窪み部５６に手の平を沿わせて容器本体２を把持したときに、第１指９１と他の指９２とが接する部位５１ａ，５２ａは、前記距離Ｈが背面５３側から遠ざかるにつれて漸減するテーパー部Ｔとなっており、図２（ｂ）に示すように把持した状態から、容器本体２が前方にずれて抜け落ちるようなことが確実に防止される。胴部５の周方向において、テーパー部Ｔの長さＬ２は、好ましくは、パネル部５５と前面５４（前方稜線６３）との間の長さＬ２’の５０％以上であり、より好ましくは７０％以上である。なお、図２に示す例においては、前記長さＬ２＝Ｌ２’である。
【手続補正４】
【補正対象書類名】明細書
【補正対象項目名】００３４
【補正方法】変更
【補正の内容】
【００３４】
なお、本実施形態においては、第１側面５１及び第２側面５２は、水平方向の断面が直線状であるのに対して、前面５４及び背面５３は、水平方向の断面が外方に向けて凸に湾曲している（図２参照）。なお、本発明における第１側面５１及び第２側面５２は、水平方向の断面が、容器の外方又は内方に向かって凸の形状に僅かに湾曲している２次曲面とされていても良く、高さ方向の断面が、容器の外方又は内方に向かって凸の形状に僅かに湾曲している２次曲面とされていても良い。更に、第１側面５１及び第２側面５２は、容器本体の高さ方向及び水平方向の断面形状が、容器の外方又は内方に向かって凸の形状に僅かに湾曲している曲面とされていても良い。
本明細書でいう「２次曲面」は、互いに直交する２軸の１軸のみが湾曲している曲面である。
第１側面５１及び第２側面５２が、平坦面又は２次曲面であると、第１側面及び第２側面が広く表示性が高いので、全面に渡って一般的なラベルが貼れる点で好ましい。
【手続補正５】
【補正対象書類名】明細書
【補正対象項目名】００３５
【補正方法】変更
【補正の内容】
【００３５】
他方、前面５４及び背面５３は、第１側面５１及び第２側面５２に比して湾曲の程度が大きい。第１側面５１及び第２側面５２は、それぞれ前面５４との間に稜線６３を有し、パネル部５５又は背面５３との間に稜線６１を有しており、稜線６３と稜線６１との間が、第１側面５１及び第２側面５２となっている。稜線６３及び稜線６１は、それぞれ、前面５４側に向かって凸に湾曲しており、稜線６３は、胴部５の上部において、前面５４側から背面５３側へと斜めに延びる稜線６４に連続している。稜線６４は、第１側面５１及び第２側面５２の上端を画成している。稜線６４と口首部３との間は、口首部３に向かって、すぼまった形状の肩部５７となっている。前面５４と肩部５７とは、稜線を挟まずに連続しており、第１側面５１及び第２側面５２は、稜線６４とパネル部５５の間において稜線を挟まずに背面５３と凸曲面で連続している。